【手続補正書】
【提出日】平成18年4月11日(2006.4.11)
【手続補正１】
【補正対象書類名】特許請求の範囲
【補正対象項目名】全文
【補正方法】変更
【補正の内容】
【特許請求の範囲】
【請求項１】
血栓溶解ペプチドの制御された産生のための電気刺激装置であって、
電源および該電源に相互接続された制御機構を含む電界または電流発生ユニットと、
電界または電流を血管組織に送出するように設計された複数の電極と、
を備え、
前記複数の電極は、前記各電極間で電界または電流が発生することができるように、複数の場所で前記血管組織と近接し、前記血管組織に送出される前記電界または電流の振幅および送出期間の継続期間は、前記血管組織からの前記血栓溶解ペプチドの産生を刺激するのに十分である電気刺激装置。
【請求項２】
所定期間にわたって血管組織に電界または電流を送出して、前記血管組織内でｔＰＡ発現の産生を刺激するようにする電気刺激装置であって、
電源および該電源に相互接続された制御機構を含む電界または電流発生ユニットと、
電界または電流を前記血管組織に送出するように設計された複数の電極と、
を備え、
前記複数の電極は前記電源と電気接続され、前記制御機構は、前記複数の電極が、前記各電極間で電界または電流が発生することができるように、複数の場所で前記血管組織と近接している時に、前記各電極および前記血管組織への、前記電源からの電気パルスの振幅および送出期間の継続期間を制御し、前記血管組織に送出される前記電界または電流の振幅および前記送出期間の継続期間は、前記血管組織の細胞がｔＰＡ発現を増加させるのに十分である電気刺激装置。
【請求項３】
前記制御機構は前記電源と電子接続するコンピュータ処理ユニットを含み、該コンピュータ処理ユニットは、電気刺激装置が、前記複数の電極に、所定量の電流または電圧を所定の送出期間にわたって送出するようにさせるようにプログラムされ、それによって、前記複数の電極が前記血管組織と接触するかまたは近接している時に、電気刺激装置が前記電流または電圧を前記血管組織に送出できる請求項１または２に記載の電気刺激装置。
【請求項４】
前記電界または電流発生ユニットは、２相性パルス電流送出デバイスであり、前記血管組織に送出される電流の振幅は、約０．１Ｖ〜２５Ｖである請求項１または２に記載の電気刺激装置。
【請求項５】
前記電界または電流発生ユニットは、２相性パルス電圧送出デバイスであり、送出される電流密度は約３０〜６００μＡ／ｍｍ２である請求項１または２に記載の電気刺激装置。
【請求項６】
前記電界または電流は、約１Ｈｚ〜約１０Ｈｚの間の周波数を有する複数のパルスによって生成される請求項１または２に記載の電気刺激装置。
【請求項７】
前記電界または電流は、約１〜２０ミリ秒の間の継続期間中に生成される請求項１または２に記載の電気刺激装置。
【請求項８】
前記複数の電極は、単極性、双極性、および多極性電極構成からなるグループから選択される方法で構成される請求項１または２に記載の電気刺激装置。
【請求項９】
埋め込み可能であるように設計され構成される請求項１に記載の電気刺激装置。
【請求項１０】
前記複数の電極は検知電極を含み、前記血管組織は心臓に補給し、前記検知電極は、心臓の収縮をモニタリングし、該収縮に関する情報を前記コンピュータ処理ユニットに伝達し、それによって、前記コンピュータ処理ユニットは、前記送出期間を、心臓の収縮に続く一連の不応期と同期させることができ、前記電界または電流は、前記一連の不応期の発生と同期するようにプログラムされた一連のパルスで心臓に送出される請求項１または２に記載の電気刺激装置。
【請求項１１】
前記検知電極は、該検知電極が、心臓をペーシングして、パルス電界または電流の発生が前記不応期の発生と同期することを容易にすることを可能にする心臓ペースメーキング機能を含む請求項９に記載の電気刺激装置。
【請求項１２】
前記制御機構は、前記電源と電子接続するコンピュータ処理ユニットを含み、該コンピュータ処理ユニットは、電気刺激装置が、前記複数の電極に、所定量の電流または電圧を所定の送出期間にわたって送出するようにさせるようにプログラムされ、それによって、前記複数の電極が前記血管組織と接触するかまたは近接している時に、電気刺激装置が前記電流または電圧を前記血管組織に送出できる請求項１０に記載の電気刺激装置。
【請求項１３】
刺激波の前記電界は、矩形および指数関数減衰からなるグループから選択される請求項１に記載の電気刺激装置。
【請求項１４】
前記電気刺激期間は、約１ミリ秒〜数日である請求項１に記載の電気刺激装置。
【請求項１５】
ｔＰＡ産生の増加を刺激するように送出される前記電界または電流は、有意な細胞死を伴わない請求項１または２に記載の電気刺激装置。
【請求項１６】
生成される前記電界または電流は平衡して充電される請求項１または２に記載の電気刺激装置。
【請求項１７】
血管系のまわりで前記電極を包むことによって、血管構造に一致することができる共通ベースプレートに取り付けられた複数の並列刺激電極を備える血管電極システム。
【請求項１８】
前記複数の刺激並列電極は、前記共通ベースプレートに取り付けられた少なくとも５つの電極を備える請求項１７に記載の血管電極システム。
【請求項１９】
前記複数の並列電極は、前記共通ベースプレートに取り付けられた少なくとも１０の電極を備える請求項１７に記載の血管電極システム。
【請求項２０】
リターン電極が前記ベースの一部である請求項１７に記載の血管電極システム。
【請求項２１】
前記リターン電極は、前記ベースプレートに取り付けられた少なくとも１つの電気的に絶縁された並行電極部材を備える請求項１７に記載の血管電極システム。
【請求項２２】
前記リターン電極は、前記複数の刺激電極から離れた部位に配置される請求項１７に記載の血管電極システム。
【請求項２３】
前記複数の刺激電極は、隣接する電極部材からの接触距離または間隔が変わる場合がある請求項１７に記載の血管電極システム。
【請求項２４】
長手方向軸において最小変動を有する均一電流密度を生成する請求項１７に記載の血管電極システム。
【請求項２５】
前記電流は、前記刺激電極にわたって半径方向に一様に分散する請求項１７に記載の血管電極システム。
【請求項２６】
前記複数の刺激電極は、前記血管組織に対して、前記長手方向軸に均一電流密度を送出するように離間する請求項１７に記載の血管電極システム。
【請求項２７】
前記複数の刺激電極は、前記血管組織に対して、前記半径方向に一様に電流を送出するように離間する請求項１７に記載の血管電極システム。
【請求項２８】
血栓溶解治療方法であって、
血管組織を電気的に刺激する際に、前記血管組織における少なくとも１つの血栓形成ペプチドの産生を刺激するのに十分な電界または電流を用いて前記血管組織を刺激するステップを含み、
前記血管組織に送出される前記電界または電流の振幅および送出期間の継続期間は、前記血管組織内の細胞がｔＰＡ発現を増加するようにさせるのに十分である血栓溶解治療方法。
【請求項２９】
血栓溶解治療方法であって、
血管組織を電気的に刺激する際に、前記血管組織における少なくとも１つの血栓形成ペプチドの産生を刺激するのに十分な電界または電流を用いて前記血管組織を刺激するステップを含み、
前記血管組織に送出される前記電界または電流の振幅および送出期間の継続期間は、血栓形成を変化させるのに十分である血栓溶解治療方法。
【請求項３０】
血管組織の処置方法であって、
電気刺激装置が、
電源および該電源に相互接続された制御機構を含む電界または電流発生ユニットと、
電界または電流を前記血管組織に送出するように設計された複数の電極と、
を備え、
前記複数の電極は、前記各電極間で電界または電流が発生することができるように、複数の場所で前記血管組織と近接し、前記血管組織に送出される前記電界または電流の振幅および送出期間の継続期間は、所望の血栓溶解反応を刺激するのに十分である血管組織の処置方法。
【請求項３１】
前記電界または電流発生ユニットは、２相性パルス電流送出デバイスであり、前記送出される電流の振幅は約０．１Ｖ〜約２５Ｖである請求項２８、２９または３０のいずれか１項に記載の血管組織の処置方法。
【請求項３２】
前記電界または電流は、２相性パルス電圧送出デバイスであり、送出される電流密度は約３０〜６００μＡ／ｍｍ２である請求項２８、２９または３０のいずれか１項に記載の血管組織の処置方法。
【請求項３３】
前記電界または電流は、約１Ｈｚ〜約１０Ｈｚの間の範囲の複数のパルスによって生成される請求項２８、２９または３０のいずれか１項に記載の血管組織の処置方法。
【請求項３４】
前記電界または電流は、約１〜２０ミリ秒の間の継続期間中に生成される請求項２８、２９または３０のいずれか１項に記載の血管組織の処置方法。
【請求項３５】
前記複数の電極は、単極性、双極性、および多極性電極構成からなるグループから選択される方法で構成される請求項２８、２９または３０のいずれか１項に記載の血管組織の処置方法。
【請求項３６】
前記電気刺激装置が埋め込み可能であるように設計され構成される請求項２８、２９または３０のいずれか１項に記載の血管組織の処置方法。
【請求項３７】
前記複数の電極の少なくとも１つは第１の場所とは異なる請求項２８、２９、または３０のいずれか1項に記載の血管組織の処置方法。
【請求項３８】
血管新生の増加が望まれる血管組織の処置方法であって、
前記血管組織と生物学的に適合性がある細胞を移植するステップと、
前記細胞のｔＰＡ発現を増加させるのに十分な電界または電流を用いて前記細胞を刺激するステップと、
を含み、
前記血管組織に送出される前記電界または電流の振幅および送出期間の継続期間は、前記移植される細胞が、ｔＰＡ発現を増加するようにさせるのに十分である血管組織の処置方法。
【請求項３９】
前記移植される細胞は、前記血管組織内に注入される前に、ｅｘ  ｖｉｖｏ刺激されている請求項３８に記載の血管組織の処置方法。
【請求項４０】
前記移植される細胞は自家である請求項３８に記載の血管組織の処置方法。
【請求項４１】
前記移植される細胞は同種である請求項３８に記載の血管組織の処置方法。
【請求項４２】
前記移植される細胞は異種である請求項３８に記載の血管組織の処置方法。
【請求項４３】
前記移植される細胞は内皮細胞である請求項３８に記載の血管組織の処置方法。
【請求項４４】
前記移植される細胞は遺伝子操作されている請求項３８に記載の血管組織の処置方法。
【請求項４５】
前記遺伝子操作細胞は、追加のｔＰＡ遺伝子を用いてトランスフェクトされる請求項３８に記載の血管組織の処置方法。
【請求項４６】
心筋梗塞の処置方法であって、
電源および該電源に相互接続された制御機構を含む電界または電流発生ユニットと、電界または電流を血管組織に送出するように設計された複数の電極と、を設けること、および
前記複数の電極は、前記各電極間で電界または電流が発生することができるように、複数の場所で前記血管組織と近接し、前記血管組織に送出される前記電界または電流の振幅および送出期間の継続期間は、所望の血栓溶解反応を刺激するのに十分である心筋梗塞の処置方法。
【請求項４７】
発作の処置方法であって、
電源および該電源に相互接続された制御機構を含む電界または電流発生ユニットと、電界または電流を血管組織に送出するように設計された複数の電極とを設けること、および
前記複数の電極は、前記各電極間で電界または電流が発生することができるように、複数の場所で前記血管組織と近接し、前記血管組織に送出される前記電界または電流の振幅および送出期間の継続期間は、所望の血栓溶解反応を刺激するのに十分である発作の処置方法。
【請求項４８】
虚血性神経障害の処置方法であって、
電源および該電源に相互接続された制御機構を含む電界または電流発生ユニットと、電界または電流を血管組織に送出するように設計された複数の電極とを設けること、および
前記複数の電極は、前記各電極間で電界または電流が発生することができるように、複数の場所で前記血管組織と近接し、前記血管組織に送出される前記電界または電流の振幅および送出期間の継続期間は、所望の血栓溶解反応を刺激するのに十分である虚血性神経障害の処置方法。
【請求項４９】
動静脈シャントの配置と共に用いる方法であって、
電源および該電源に相互接続された制御機構を含む電界または電流発生ユニットと、電界または電流を血管組織に送出するように設計された複数の電極とを設けること、および
前記複数の電極は、前記各電極間で電界または電流が発生することができるように、複数の場所で前記血管組織と近接し、前記血管組織に送出される前記電界または電流の振幅および送出期間の継続期間は、所望の血栓溶解反応を刺激するのに十分である動静脈シャントの配置と共に用いる方法。
【請求項５０】
前記電流密度は、内皮表面積のｍｍ２当たり６０ｍＡ／ｍｍ２である請求項１または２に記載の電気刺激装置。